(57)【要約】通信システムにおけるデータ流のデータパケット処理方法。この方法では、データ流からの複数のデータパケットを分析して、複数のデータパケットのうち各パケットの１またはそれ以上の部分がデータパケット間で如何に変化するかを示すプロフィールデータを発生させる。このプロフィールデータは、そのデータに適したデータパケット圧縮方式を通信システムのデータパケットに対して実行できるように利用可能な状態にされる。
2004510371.tif 000002
【特許請求の範囲】
【請求項１】
通信システムにおけるデータ流のデータパケットを処理する方法であって、
データ流から複数のデータパケットを受け、
複数のデータパケットを分析し、
分析に応答して、複数のデータパケットのうち各パケットの１またはそれ以上の部分がデータパケット間で如何に変化するかを示すプロフィールデータを発生し、
データ流のデータパケットに対してプロフィールデータに適したデータパケット圧縮方式を実行できるようにそのプロフィールデータを利用可能な状態にするステップより成るデータパケットの処理方法。
【請求項２】
プロフィールデータを、通信システムにおけるデータ流のデータパケットに対して圧縮方式を実行する圧縮器へ送るステップをさらに含む請求項１の方法。
【請求項３】
プロフィールデータはネットワークリンクを介して圧縮器へ送られる請求項２の方法。
【請求項４】
データ流のパケットに対してデータパケット圧縮方式と相補的なデータパケット圧縮解除方式を実行できるようにプロフィールデータを利用可能な状態にするステップをさらに含む請求項２または３の方法。
【請求項５】
圧縮器により圧縮されたデータ流のパケットを圧縮解除するために圧縮解除方式を実行する圧縮解除器へプロフィールデータを送るステップを含む請求項４の方法。
【請求項６】
プロフィールデータはネットワークリンクを介して圧縮解除器へ送られる請求項５の方法。
【請求項７】
プロフィールデータは無線インターフェイスを介して圧縮解除器へ送られる請求項６の方法。
【請求項８】
プロフィールデータは、一連のビットとして符号化されデータパケットに付着されて、圧縮解除器へ送られる請求項６または７の方法。
【請求項９】
複数のパケットは、プロフィールデータがパケットの１またはそれ以上のフレームがパケット間で如何に変化するかを示すように分析される上記請求項のうちの任意の請求項の方法。
【請求項１０】
１またはそれ以上のフレームはヘッダーフレームである請求項９の方法。
【請求項１１】
複数のパケットは、プロフィールデータが、各パケットの所定数ビット長の１またはそれ以上のサブセクションがパケット間で如何に変化するかを示すように分析される請求項１乃至８のうちの任意の請求項の方法。
【請求項１２】
プロセッサー上で実行されると請求項１の方法を実行するコンピュータープログラム。
【請求項１３】
通信システムにおけるデータパケットの処理装置であって、
複数のデータパケットを受ける手段と、
複数のデータパケットを分析する手段と、
分析に応答して、複数のデータパケットのうち各パケットの１またはそれ以上の部分がデータパケット間で如何に変化するかを示すプロフィールデータを発生する手段と、
データ流のデータパケットに対してプロフィールデータに適したデータパケット圧縮方式を実行できるようにそのプロフィールデータを利用可能な状態にする手段とより成るデータパケット処理装置。
【請求項１４】
通信ネットワークにおけるデータ流のデータパケット処理システムであって、
データ流の複数のデータパケットを受け、
複数のデータパケットを分析して複数のデータパケットのうち各パケットの少なくとも一部がパケット間で如何なる挙動を示すかを表す挙動データを発生し、
データ流のデータパケットの挙動データに応じてデータパケット圧縮方式を実行するステップより成るデータパケット処理システム。
【発明の詳細な説明】
【０００１】
本発明は、データパケットの処理方法に関する。
【０００２】
多くのデジタル通信ネットワークにおいて、データは、通常、パケットと呼ぶ可変サイズの個別部分に区分けした形で送信局から受信局へ送信される。ネットワークの１つの局から別の局へデータパケットを送るための手順、また送信局及び受信局でパケットを如何に処理するかを決める手順を規定する種々の通信プロトコルが開発されている。通信を行うためにプロトコルが実行しなければならない機能が多数あるが、それらの機能は実際上あまりにも多いため、各々が通信の１またはそれ以上の特定の局面を取扱うプロトコルのセットが使用される。恐らく、最もよく知られているプロトコルのセットは通信制御プロトコル／インターネットプロトコル（ＴＣＰ／ＩＰ）であるが、これはインターネットで広く使用されている。
【０００３】
図１は、単純なパケット１の概略図である。全てのパケットに共通であるように、パケット１は、ヘッダー２（プロトコル制御情報ＰＣＩとしても知られる）と、ペイロード３（受信ノードへ送られる実際のデータ）との２つの部分より構成されると考えることができる。ヘッダー２は、２１乃至２Ｎで示す多数のフィールドより成り、各フィールドはその通信にとって重要な情報を含んでいる。ヘッダーを構成するフィールドを例示すると、送信局のアドレスを示す「ソースフィールド」、受信局のアドレスを示す「デスティネーションフィールド」、ペイロードのサイズを示す「データ量フィールド」及びパケットの時系列番号を示す「識別フィールド」がある。他に多くの種類のフィールドがあるが、これらは当業者に知られている。
【０００４】
特定のパケットに関連するプロトコルセットはパケットのペイロード部分により運ばれるデータを規定せず、例えば、ヘッダーに存在するフィールドの種々のタイプ、フィールドの長さ及び順番及びフィールドを構成するビットパターンの解釈方式のようなヘッダーのフォーマットを特定する。
【０００５】
移動体通信ネットワーク及びインターネットは、それらの機能の点で見ると収斂しつつある。いわゆる第３世代（３Ｇ）携帯電話にとって、インターネットデータのパケットを直接取扱えること、またユーザーが継ぎ目のない電子メール、ブラウザーによるウェブの検索、マルチメディア及び他のサービスにアクセスできることが望ましい。ＴＣＰ／ＩＰのようなプロトコルは、主として、無線ネットワークで利用できる帯域幅よりも帯域幅が比較的大きい固定ネットワークを対象として設計されている。音声を運ぶために使用する場合、パケットヘッダーによるメッセージのオーバーヘッドはネットワーク全容量の最大７５％を占めることがあり、これは移動体通信ネットワークにとっては受け入れることができない。
【０００６】
この問題を軽減するために、無線インターフェイスを介してパケットを送信する前にパケットヘッダーを圧縮する種々の圧縮方式が開発されている。かかる方式の一例としてよく知られたものに、「ＲＦＣ１１４４」に記載されたバン・ジェイコブソン方式がある。
【０００７】
以前のヘッダー圧縮方式では、ヘッダーの圧縮を実行するエンティティと、後で圧縮解除するエンティティとは、彼らが取扱う必要があると予想される公知のプロトコルスタックの任意のものに関連するパケットのヘッダープロフィールを記憶した記録にアクセスするように予め構成されている。
【０００８】
ヘッダープロフィールは実際、ヘッダーの各特定フィールドの値がパケット間で如何に変化するかまたは如何なる挙動を示すかを表すものである。例えば、概念プロトコルスタックＺに関連する単純なヘッダーは３つのフィールドＡ、Ｂ、Ｃより成るが、そのプロフィールは、フィールドＡ＝静的、フィールドＢ＝不規則、フィールドＣ＝線形であって、フィールドＡの値はパケット間で変化せず、フィールドＢの値はパケット間でランダムに変化し、フィールドＣの値はパケット間で線形変化することを意味することがある。
【０００９】
ヘッダープロフィールにアクセスすると、圧縮器及びそれに関連する圧縮解除器は使用中の特定のプロトコルセットについて最適化された圧縮方式及びそれに続く圧縮解除方式を実行できる。例えば、ヘッダーが概念プロトコルスタックＺにより規定されたパケットを受信すると、圧縮器は、プロトコルスタックＺに関連するヘッダープロフィールが分かっているため、各パケットにつきフィールドＡが静的フィールド符号化により圧縮され、フィールドＢが不規則フィールド符号化により圧縮され、フィールドＣが線形フィールド符号化により圧縮される圧縮方式を実行できる。同様に、圧縮解除器は、ヘッダープロフィールを知っているため最適化された圧縮解除方式を実行できる。
【００１０】
公知のヘッダー圧縮／圧縮解除システムにとって、ヘッダーが新しいプロトコルスタック（または恐らく旧いプロトコルスタックのバリエーション）により規定されるため新しいタイプのパケットデータを初めて取扱うようになることはありそうなことである。これを実行するために、システムがアクセスするヘッダープロフィールの記録を、まず第１に新しいプロトコルスタックに関連するヘッダープロフィールにより更新しなければならない。
【００１１】
ネットワーク管理者がプロフィールの更新を行えるネットワーク基地局間の通信では、これはわずらわしいことであるが、不可能ではない。しかしながら、例えば、携帯電話のような移動体通信では容易でない。
【００１２】
本発明は、上述した問題を解消または軽減することを目的とする。
【００１３】
本発明によると、通信システムにおけるデータ流のデータパケットを処理する方法であって、データ流から複数のデータパケットを受け、複数のデータパケットを分析し、分析に応答して、複数のデータパケットのうち各パケットの１またはそれ以上の部分がデータパケット間で如何に変化するかを示すプロフィールデータを発生し、データ流のデータパケットに対してプロフィールデータに適したデータパケット圧縮方式を実行できるようにそのプロフィールデータを利用可能な状態にするステップより成るデータパケットの処理方法が提供される。
【００１４】
本発明によるとまた、通信システムにおけるデータパケットの処理装置であって、複数のデータパケットを受ける手段と、複数のデータパケットを分析する手段と、分析に応答して、複数のデータパケットのうち各パケットの１またはそれ以上の部分がデータパケット間で如何に変化するかを示すプロフィールデータを発生する手段と、データ流のデータパケットに対してプロフィールデータに適したデータパケット圧縮方式を実行できるようにそのプロフィールデータを利用可能な状態にする手段とより成るデータパケット処理装置が提供される。
【００１５】
本発明によるとまた、通信ネットワークにおけるデータ流のデータパケット処理システムであって、データ流の複数のデータパケットを受け、複数のデータパケットを分析して複数のデータパケットのうち各パケットの少なくとも一部がパケット間で如何なる挙動を示すかを表す挙動データを発生し、データ流のデータパケットの挙動データに応じてデータパケット圧縮方式を実行するステップより成るデータパケット処理システムが提供される。
【００１６】
図２を参照して、該図は本発明によるシステムを示す。このシステムは、少なくとも１つの基地局１１がカバーエリア内にある少なくとも１つの移動局または携帯電話１２と通信するセルラー移動体通信ネットワーク１０より成る。移動体通信ネットワーク１０は、例えば、ＧＳＭネットワークまたはＵＭＴＳネットワークである。かかるネットワークを構成するコンポーネントとして、例えば、移動局、基地局、基地局コントローラー、ゲートウェイ及び基地局と移動局の間の通信を可能にし、移動体通信ネットワークを他の通信ネットワーク、例えば、ＰＳＴＮまたはインターネットに接続するコンポーネントがあるが、その構造及び機能は当業者にとってよく知られているため、ここでは詳述しない。
【００１７】
さらに、当業者にはよく知られているように、移動局は、インターネットのようなデータネットワークかまたはそのネットワークを介して動作する移動体通信ネットワークへ送られるデータを取扱えるようにするハードウェア／ソフトウェアを組み込んでいる。データは、例えば、音声、ビデオ及びテキストデータ並びにウェブページを含む多くの形式のものである。
【００１８】
図２に示す実施例において、移動局１２は、インターネット１４から移動通信ネットワーク１０へ送られるパケットデータを、基地局１１から無線インターフェイス１３を介して受信する。基地局１１には、無線インターフェイス１３を介して送信する前に、受信したパケットを圧縮する圧縮器１５が設けられている。この圧縮器１５は主としてパケットヘッダーを圧縮するものであるが、パケットのペイロードを圧縮することもできる。
【００１９】
圧縮器１５は、全ての基地局１１において蓄積されたプログラムを有するが、このプログラムは、基地局のプロセッサー（図示せず）により実行されると、移動局１２への送信前に受信パケットを圧縮する。導入部分に述べたように、パケット圧縮用の適当な圧縮アルゴリズムは当業者によく知られている。
【００２０】
これに対応して、移動局１２には、基地局１１からの圧縮パケットを圧縮解除するための圧縮解除器１６が設けられている。圧縮解除器１６は、全ての移動局１２において蓄積されたプログラムを有するが、このプログラムは、移動局１２のプロセッサー（図示せず）上で実行されるとパケットを圧縮解除する。パケット圧縮解除用の圧縮解除アルゴリズムは当業者によく知られている。
【００２１】
基地局１１にはさらに、以下において便宜的に「プロファイラー」と呼ぶエンティティ１７が設けられている。このプロファイラー１７は、基地局１１に蓄積されその基地局１１のプロセッサー（図示せず）上で実行されるソフトウェアを有する。プロファイラー１７の機能は、移動局１２宛のパケット流中のパケットを分析して、種々のパケットの対応ビットの時系列の値がパケット間で如何に変化するかを示すプロフィールまたはパターンを突き止めることである。プロファイラー１７は、かかる挙動パターンを突き止めると、この情報を圧縮器１５と圧縮解除器１６の両方に送って、これらのエンティティがデータパケットについて最適な圧縮／圧縮解除方式を実行できるようにする。従って、以前のシステムとは異なり、圧縮器１５及び圧縮解除器１６は、パケットの圧縮及びそれに続く圧縮解除を行えるようにするための所与のパケット流中のパケットプロフィールに関する情報を先天的に持つ必要がないため、任意のパケット流を取扱うことができる。
【００２２】
図２だけでなく図３を参照すると、本発明の実施例に用いるプロセスの一例が記載されている。この例において、各パケットのフィールドの数、それらの順番及び各フィールドの長さは、各接続開始時に圧縮器１５に知られている。しかしながら、パケット間の対応フィールドの挙動については知られておらず、プロファイラー１７がこれを突き止める。
【００２３】
ステップ２０において、データパケットが基地局１１に到達し始めると、プロファイラー１７は、ステップ２１において、パケット間で対応フィールドの値がどのように相違するかを突き止めるためにパケットの分析を開始する。ステップ２２において、プロファイラーは、パケットの少なくとも１つのフィールドの挙動を突き止めるに十分な数のパケットを分析し、ステップ２３において、この情報を圧縮器１５及び圧縮解除器１６へ送る。ステップ２４において、プロファイラー１７は、パケットが到着次第それらを継続して分析することによりさらに多くのフィールドの挙動を突き止め、１つのフィールドの挙動を識別する度にこの情報を圧縮器１５と圧縮解除器１６へ送る（ステップ２５）。ステップ２６では、プロファイラー１７が最終的に受信したパケットの完全なプロフィールを形成するまで、換言すれば、パケットの各フィールドの挙動パターンについての情報が得られるまで、このプロセスが継続する。
【００２４】
図４は、パケットプロフィールの概念を示すものである。パケットの各フィールドについて、プロフィールは、フィールドのサイズ及びフィールドがパケット間で如何に変化するかを表す。上述した例では、圧縮器は各フィールドのサイズについての予備知識を備えているため、プロファイラー１７は各フィールドの挙動を突き止めるだけでよい。
【００２５】
基地局１１で受信されるパケットは多数のフィールドを有するが、これらのフィールドは、コール接続時間の間静的であるか、接続時間の間、例えば線形のような予測可能な態様で変化するか、または接続時間の間に不規則な変化をするかである。プロファイラー１７が所与のフィールドの挙動について圧縮器１５へ通告する度に、圧縮器１５は、後続のパケットのそのフィールドに対して適当な圧縮方式を実行することができる。例えば、パケット間で変化が観察されないフィールドは、移動局１２へ送られるその後の圧縮パケットから省略することが可能であり、例えば、線形変化が観察されるフィールドは線形変化するフィールドに適した方式により圧縮することができる。各タイプのフィールドの挙動にとって適当な圧縮方式は当業者に知られている。圧縮解除器１６へ所与のフィールドの挙動を通告することにより、圧縮解除器は圧縮パケットのそのフィールドに対して相補的な圧縮解除方式を実行することができる。
【００２６】
接続開始時には、圧縮器１５は、パケットの任意のフィールドの挙動に対する情報を所有しない。従って、最初は、非圧縮状態のパケットが移動局１２へ送られる。フィールドの挙動に関する情報をプロファイラー１７が形成するにつれて圧縮器１５はそれらのパケットに対し圧縮を開始するが、これは最初は非常に保守的な方式である。この方式は、圧縮器１５がプロファイラー１７からさらに多くの情報を受けるにつれて改善されるため、圧縮器１５は１またはそれ以上の種々のフィールドに適した圧縮方式を実行することができる。
【００２７】
基地局１１と移動局１２との間のコール接続時間の間、プロファイラー１７は、必要に応じて圧縮器１５及び圧縮解除器１６のプロフィールを更新するために、パケットフィールドの挙動を継続して分析する。例えば、プロファイラー１７は所与のフィールドの挙動をよく理解している、即ちフィールドの挙動パターンが変化したことを突き止めることができる。例えば、プロファイラー１７が特定のフィールドが静的であるのを突き止めた場合圧縮度を増加させる必要があれば、この更新情報が圧縮解除器１６に到達し、その確認情報を受取って初めて圧縮器１５がこの改善された圧縮方式を実行するようにするのが好ましい。
【００２８】
プロファイラーがプロフィールを形成した結果、圧縮器１５が正しい値よりも大きい圧縮度でパケットを圧縮している場合がある。例えば、プロファイラー１７が圧縮器１５に対して、あるフィールドはそのｎ個のパケットが変化しないため静的であると指示し、その後プロファイラー１７がそのフィールドの挙動が変化したことを突き止めた時にそのフィールドをそれに応じて圧縮するようにこの圧縮器１５に促す場合がある。この変化は圧縮器１５及び圧縮解除器１６へ直ちに伝えられるが、圧縮解除器１６へは帯域外通信または帯域内通信により通告するのが好ましい。例えば、プロフィールの更新情報は、移動局１２へ送られる圧縮状態のパケットに付着された多数のバイトとして符号化することができる。この同じ更新情報は、更新情報が圧縮器１５へ到達したことの確認指示を受けるまで種々の圧縮パケットに継続して付着してもよい。
【００２９】
さらに、プロファイラー１７が以前に遭遇した挙動パターンを必ずしもオーバーライドすることなく新しいタイプのフィールドの挙動を突き止めることができるように、単一のフィールドに多数のタイプの符号化を関連させてもよい。圧縮器１５及び圧縮解除器１６がこのデータを利用できるようにするため、プロファイラー１７はそれらに対して種々の符号化の確率を示す。従って、例えば、プロファイラー１７は、１つのフィールドが高い確率で静的であるが、変化の確率が小さい（０でない）ことを示すことができる。これにより、圧縮器１５及び圧縮解除器１６は、多量の帯域外通信を必要とすることなく予想される挙動からのわずかな変動に対処できる。
【００３０】
上述の例では、各パケットのフィールドの数、それらの順番及び各フィールドの長さが圧縮器１５及び圧縮解除器１６に知られているため、プロファイラー１７によるフィールド毎のパケット分析が可能であると仮定されている。例えば、通信が新しいプロトコルスタックに関連する新しいデータタイプを含む場合、通信開始時にかかる情報をこれらのエンティティが利用できる状態にならない場合がある。このような場合、プロファイラー１７は、受信パケットを分析することによりこれらのパケットの対応するサブセクションの挙動パターンを突き止めるように構成されている。
【００３１】
例えば、図５に示すように、各パケット全体は一列のオクテットとしてただ処理され、プロファイラー１７は、連続するパケットをチェックしてパケットの等価オクテット間の相関関係を突き止めるように構成されている。従って、フィールドの境界を突き止めようとせずに、プロファイラー１７は、経時的にパケットの挙動プロフィールをオクテット毎に形成する。例えば、プロファイラー１７は同じ値を維持するかまたはめったに変化しないかもしくは少数の値をとるオクテットを突き止める。フィールドの挙動に関連して上述したように、プロファイラー１７は、所与のオクテットの挙動パターンを突き止める度にこの情報を符号化して圧縮器１５及び圧縮解除器１６へ送り、これらがそれに応じて適当な圧縮／圧縮解除方式を実行する。
【００３２】
上述したフィールド長さが知られた例と同じように、プロファイラー１７は、基地局１１と移動局１２の間のコール接続時間の間継続してオクテットの挙動を分析することにより、圧縮器１５及び圧縮解除器１６においてプロフィールが必要に応じて更新されるようにする。
【００３３】
オクテット毎のパケットの挙動プロフィールの形成は一例であるが、プロファイラー１７は、任意の便利な大きさのパケットのサブセクション、例えば、１０ビット毎のパケットの挙動についてプロフィールを形成できることを理解されたい。
【００３４】
図６を参照して、本発明のさらに別の実施例を説明する。この実施例には、図２を参照して既に説明したコンポーネントには同一の参照番号が付されている。この実施例において、プロファイラー１７は、基地局１１でなくて移動局１２に配置されている。動作については、接続開始時に、基地局１１で受信されるパケットが最初に非圧縮状態で移動局１２へ送られる。移動局１２では、プロファイラー１７が受信パケットを分析して、パケットのプロフィールを突き止める。上述したように、パケットのフレームフォーマットが知られておれば、プロファイラー１７はパケットをフレーム毎に分析する。フレームフォーマットが知られていなければ、プロファイラー１７は、パケットをサブセクション毎に、例えば、オクテット毎に分析する。
【００３５】
何れの場合でも、プロファイラー１７が所与のフィールドまたは種々のサブセクションの挙動パターンを突き止める度に、この情報が圧縮解除器１６へ送られ、また移動局１２から基地局１１へ送られて、そこで、圧縮器１５へ供給される。上述した例におけると同様に、プロファイラー１７が圧縮器１５へ所与のフィールドまたはサブセクションの挙動を通告する度に、圧縮器は後続のパケットのそのフィールドまたはサブセクションについて適当な圧縮方式を使用し、圧縮解除器はそれらのパケットを受信すると相補的な適当な圧縮解除方式を使用することができる。この実施例において、受信パケットの分析は、圧縮解除器１６へ入力される前かまたは圧縮解除器１６から出力された後の何れかに行うように、プロファイラー１７を構成してもよい。
【００３６】
本発明のさらに別の実施例を図７に示す。この図では、図２及び６を参照して既に説明した特徴部分に同一参照番号が付されている。この実施例において、基地局１１と移動局１２には、それぞれ１７Ａ、１７Ｂで示すそれ自身のプロファイラーが設けられている。動作については、基地局１１がインターネット１４から受信するパケットは、上述したように、プロファイラー１７Ａが分析して、パケットのフィールドまたはサブセクションの挙動プロフィールを形成する。前と同じように、プロファイラー１７Ａが形成した各フィールドまたはサブセクションの挙動情報が圧縮器１５へ送られ、圧縮器は適当な圧縮方式を実行する。有利なことに、この実施例では、プロファイラー１７Ａが突き止めた情報を基地局１１から無線インターフェイス１３を介して移動局１２へ送信して圧縮解除器１６へ供給するのが不要である。その代わり、プロファイラー１７Ｂは基地局１１から受信するパケットにそれ自身で分析して、プロファイラー１７Ａが形成するものにマッチする、パケットまたはパケットサブセクションの何れかのフィールドの挙動プロフィールをそれ自身で形成する。プロファイラー１７Ｂが形成する各フィールドまたはサブセクションの挙動情報は圧縮解除器１６へ送られ、この圧縮解除器は圧縮器１５において適用される圧縮方式と相補的な適当な圧縮解除方式を実行する。
【００３７】
再び、圧縮器１５は最初に保守的な圧縮方式を実行するため、移動局１２へ送れられる最初のパケットは未圧縮状態である。前と同様に、圧縮器１５により実行される圧縮方式は、圧縮器１５がパケットのフィールド（またはサブセクション）の挙動を詳細に示すプロファイラー１７Ａからの情報を受けると改善される。有利なことに、パケットを圧縮解除するために圧縮解除器１６が必要とするフィールド（またはサブセクション）の挙動情報は第２のプロファイラー１７Ｂが局部的に発生するため、この情報を基地局１１から移動局１２へ送るのが不要であり、このため利用帯域幅が節約される。適当な技量を有する当業者は、２つのプロファイラー１７Ａ、１７Ｂを同期作動状態に維持する必要があることがわかるであろう。これは、例えば、規則的な同期信号を基地局１１から移動局１２へ専用制御チャンネルにより送信することにより達成できる。
【００３８】
本発明を、例示の目的だけのために、インターネット及びセルラー移動体通信ネットワークに関連して説明したことを理解されたい。本発明は、受信局での受信前にパケット流中のデータパケットの圧縮が望ましい任意の通信システムまたはシステムの組合わせに利用可能である。例えば、本発明の無線ローカルエリアネットワークに特に有用であると思われる。
【００３９】
本発明を好ましい実施例に関して説明したが、問題の実施例は例示的なものにすぎず、変形例及び設計変更が頭書の特許請求の範囲に規定された本発明の範囲から逸脱することなく当業者にとって想到できるであろうことをよく理解されたい。
【図面の簡単な説明】
【図１】
図１は、パケットの概略図である。
【図２】
図２は、本発明のシステムのブロック図である。
【図３】
図３は、本発明の一実施例に用いるプロセスを説明する流れ図である。
【図４】
図４は、パケットのプロフィールを示す概念図である。
【図５】
図５は、パケットを概念的に一連のオクテットに分割した状態を示す概略図である。
【図６】
図６は、本発明による別のシステムのブロック図である。
【図７】
図７は、別のシステムのブロック図である。
【図３】
2004510371.tif 000003
【図４】
2004510371.tif 000004
【図５】
2004510371.tif 000005
【国際公開パンフレット】
2004510371.tif 000006
2004510371.tif 000007
2004510371.tif 000008
2004510371.tif 000009
2004510371.tif 000010
2004510371.tif 000011
2004510371.tif 000012
2004510371.tif 000013
2004510371.tif 000014
2004510371.tif 000015
2004510371.tif 000016
2004510371.tif 000017
2004510371.tif 000018
2004510371.tif 000019
2004510371.tif 000020
2004510371.tif 000021
2004510371.tif 000022
2004510371.tif 000023
2004510371.tif 000024
2004510371.tif 000025
2004510371.tif 000026
2004510371.tif 000027
2004510371.tif 000028
2004510371.tif 000029
【国際公開パンフレット（コレクトバージョン）】
2004510371.tif 000030
2004510371.tif 000031
2004510371.tif 000032
2004510371.tif 000033
2004510371.tif 000034
2004510371.tif 000035
2004510371.tif 000036
2004510371.tif 000037
2004510371.tif 000038
2004510371.tif 000039
2004510371.tif 000040
2004510371.tif 000041
2004510371.tif 000042
2004510371.tif 000043
2004510371.tif 000044
2004510371.tif 000045
2004510371.tif 000046
2004510371.tif 000047
2004510371.tif 000048
2004510371.tif 000049
2004510371.tif 000050
2004510371.tif 000051
2004510371.tif 000052
2004510371.tif 000053
【国際調査報告】
2004510371.tif 000054
2004510371.tif 000055
2004510371.tif 000056